【手続補正書】
【提出日】平成16年11月1日(2004.11.1)
【手続補正１】
【補正対象書類名】明細書
【補正対象項目名】全文
【補正方法】変更
【補正の内容】
【書類名】        明細書    【発明の名称】    携帯用空圧式マッサージ機    【特許請求の範囲】      【請求項１】  内部にコンプレッサーを内装した本体に少なくとも１以上の施療部嵌用溝を設け、該施療部嵌用溝壁部に内部に空気袋を配設した施療部材の一対を対向配備し、各施療部材の空気袋とコンプレッサー間に給排気管を介設して連通するよう構成したことを特徴とする携帯用空圧式マッサージ機。    【請求項２】  内部にコンプレッサーを内装した本体に少なくとも１以上の施療部嵌用溝を設け、該施療部嵌用溝底部に内部に空気袋を配設した押圧部材を配設し、該押圧部材の空気袋とコンプレッサー間に給排気管を介設して連通するよう構成したことを特徴とする携帯用空圧式マッサージ機。    【請求項３】  前記本体が、内部中央にコンプレッサーを内装し、該コンプレッサーの両側に夫々施療部嵌用溝を設けた本体である事を特徴とする請求項１又は請求項２記載の携帯用空圧式マッサージ機。    【発明の詳細な説明】      【０００１】    【産業上の利用分野】  本発明は、圧縮空気を給排することによって施療部材を膨縮させ、該施療部材の膨縮により使用者の脚部及び腕部等の局部に圧迫と開放による揉みマッサージを繰返し行わせ得る携帯用空圧式マッサージ機に関する。      【０００２】    【従来の技術】  従来、この種の携帯用の局部マッサージ機としては、複数の施療突起を有するローラを回転させるように構成したものがあり、使用者がこの回転ローラ上に足裏部や脚部及び腕部を当接させることで、これら局部にローリングマッサージを行なえるようにしたものが一般的によく知られており、使用されている。      【０００３】  また、前記以外の局部マッサージ機としては、本体上面部位の適所にバイブレータを配備した構成のものもあり、使用者がこのバイブレータ部に足裏部や脚部及び腕部を当接させることで、これら局部に振動マッサージを行なえるようにしたものも知られている。      【０００４】    【発明が解決しようとする課題】  ところで、上記の従来の局部マッサージ機においては、それぞれ使用者の所望する局部に対してローリングマッサージや振動マッサージが行えるため、比較的重宝されているのであるが、本格的な揉みマッサージを行いたい場合には不向きであり、近年特にこのような揉みマッサージが行える携帯用のマッサージ機が要望されている。      【０００５】  本発明は、上記要望に応え、筋肉や骨に悪影響を及ぼすことなく揉みマッサージや押圧マッサージが行え、しかも好みにより指圧マッサージや振動マッサージをも行えるなど、充分なマッサージ効果を付与することのできる携帯用空圧式マッサージ機を提供することを目的とする。      【０００６】    【課題を解決するための手段】  すなわち本発明の請求項１記載の携帯用空圧式マッサージ機は、内部にコンプレッサーを内装した本体に少なくとも１以上の施療部嵌用溝を設け、該施療部嵌用溝壁部に内部に空気袋を配設した施療部材の一対を対向配備し、各施療部材の空気袋とコンプレッサー間に給排気管を介設して連通するよう構成したことを特徴とするものである。      【０００７】  また本発明の請求項２記載の携帯用空圧式マッサージ機は、内部にコンプレッサーを内装した本体に少なく���も１以上の施療部嵌用溝を設け、該施療部嵌用溝底部に内部に空気袋を配設した押圧部材を配設し、該押圧部材の空気袋とコンプレッサー間に給排気管を介設して連通するよう構成したことを特徴とするものである。      【０００８】本発明の請求項３記載の携帯用空圧式マッサージ機は、請求項１又は請求項２記載の本体が、内部中央にコンプレッサーを内装し、該コンプレッサーの両側に夫々施療部嵌用溝を設けた本体である事を特徴とするものである。  更に本発明は、本体に設けられた施療部嵌用溝を、台形状に形成したことを特徴とするものでもある。      【０００９】  更にまた本発明は、本体の施療部嵌用溝に配設される施療部材或は押圧部材を、板状部材と該板状部材に付設する空気袋とこれらを被覆する弾性カバーとで構成したことを特徴とするものである。      【００１０】  また、本発明の携帯用空圧式マッサージ機は、本体の施療部嵌用溝に配設される施療部材或は押圧部材に、振動部材を設けて構成したことを特徴とするものである。      【００１１】  更に本発明は、本体の施療部嵌用溝に配設される施療部材或は押圧部材の表面に複数の突起を配設したことを特徴とする。      【００１２】    【作用】  本発明の携帯用空圧式マッサージ機は、上記のように構成することにより次のような作用をもたらす。  すなわち本発明は、本体に設けられた施療部嵌用溝の壁部に各々配設した施療部材の空気袋に、コンプレッサーから給排気管を介して圧空を供給し、両施療部材を膨縮させるように構成しているため、使用者の施療部位を施療部嵌用溝に嵌入させるだけで、該施療部位を両側から挟持圧迫し、筋肉や骨に悪影響を及ぼすことなく心地よい揉みマッサージが行える。      【００１３】  また本発明は、本体の両側に設けられた施療部嵌用溝の底部に各々配設した押圧部材の空気袋に、コンプレッサーから給排気管を介して圧空を供給し、押圧部材を膨縮させるように構成しているため、使用者の施療部位を施療部嵌用溝に嵌入させるだけで、該施療部位を下部から上部へ押圧し、筋肉や骨に悪影響を及ぼすことなく心地よい押圧マッサージが行える。      【００１４】  また本発明は、本体に設けられた施療部嵌用溝の壁部に各々配設した施療部材と底部に各々配設した押圧部材の空気袋に、コンプレッサーから給排気管を介して圧空を供給し、両施療部材及び押圧部材を任意或は同時に膨縮させるように構成できるため、使用者の施療部位を施療部嵌用溝に嵌入させるだけで、該施療部位を両側から挟持圧迫して行う揉みマッサージと、下部から上部へ押圧して行う押圧マッサージが任意或は同時に実施でき、特にこれらを同時に行う場合には、施療部位を挟持しながら押圧マッサージを行うことができる。      【００１５】 更に本発明における本体を、内部中央にコンプレッサーを内装し、該コンプレッサーの両側に夫々施療部嵌用溝を設けた本体にした場合には、本体内でコンプレッサーを安定した状態に収容させているために、本体全体をコンパクトに形成できると共に、左右の重量を均等に保つことができ、しかも外観上において美観のあるものとすることができる。  更に本発明は、本体に設けられた施療部嵌用溝を、台形状に形成しているため、施療部材を上方で広がるような傾斜状��でき、施療部位を容易に嵌脱することができると共に、施療部位を下部から上部に順次挟持して圧迫させることができるため、施療部位に無理な圧迫感を与えず、危険性の少ない快適な揉みマッサージが行える。      【００１６】  更にまた本発明は、本体の施療部嵌用溝に配設される施療部材或は押圧部材を、板状部材と該板状部材に付設する空気袋とこれらを被覆する弾性カバーとで構成したことで、空気袋を一方の板状部材で支持でき、空気袋の膨縮を施療部位へ有効的に伝達することができる。      【００１７】  また、本発明は、本体の施療部嵌用溝に配設される施療部材或は押圧部材に振動部材を設けたことで、該振動部材を単独使用することで施療部位に施療部材或は押圧部材による振動マッサージが行え、また施療部材や押圧部材の膨縮と振動部材の振動を同時に付与することで、施療部材による振動揉みマッサージや押圧部材による振動押圧マッサージが行える。      【００１８】  更に本発明は、本体の施療部嵌用溝に配設される施療部材或は押圧部材の表面に複数の突起を配設しているため、これらの突起による単独指圧と施療部材及び押圧部材と突起との相乗効果によるつぼ指圧マッサージが行える。      【００１９】    【発明の実施の態様】  以下、本発明の携帯用空圧式マッサージ機を、図面に示す一実施例に基づき、これを詳細に説明する。  図１乃至図４は、本発明の携帯用空圧式マッサージ機の一実施例を示すものであり、該マッサージ機は、図１に示すように内部にコンプレッサー４を内装し、少なくとも１以上の施療部嵌用溝１１を設けた本体１と、該本体１の前記嵌用溝１１の両側に対向配備され各内部に空気袋２２・２２を各々配設した施療部材２・２と、各施療部材２・２の空気袋２２・２２と前記コンプレッサー４とを連通状に介設した給排気管５１とで構成している。      【００２０】  また、図２に示す携帯用空圧マッサージ機は、内部中央にコンプレッサー４を内装し、該コンプレッサー４の左右両側に施療部嵌用溝１１・１１を設けた本体１と、該本体１の前記各嵌用溝１１・１１の両側に対向配備され各内部に空気袋２２・２２を各々配設した施療部材２・２と、各施療部材２・２の空気袋２２・２２と前記コンプレッサー４とを連通状に介設した給排気管５１とで構成したものである。      【００２１】  前記本体１は、例えば樹脂や木材或は金属等で、図１及び図２に示すように、少なくとも１以上の施療部嵌用溝１１が設けられており、しかもこの各施療部嵌用溝１１は、図４及び図５に示したように脹脛や足先部を収納させてこれらの各施療部位の周囲から全体を空圧によりマッサージできるように台形状になるよう形成され、各施療部嵌用溝１１の壁部が上面で広がるような傾斜状に構成されている。また、この本体１は、図４及び図５に示したような双方の利用を同時に行なえるよう、２種を接続したものであっても良い。      【００２２】  前記施療部材２は、例えば硬性の材質で方形状に形成された板状部材２１と、該板状部材２１に付設され、気密性を有する弾性の素材で袋状に形成されて膨縮し得る空気袋２２と、これら板状部材２１及び空気袋２２を被覆する弾性カバー２３とで構成されており、空気袋２２を膨張させた場合に、この一方が前記板状部材２１で支持されて、開放された他方側が膨張し、施療部位にこの膨張を伝達し得るようにしている。      【００２３】  この施療部材２は、前記本体１に設けられた少なくとも１以上の施療部嵌用溝１１の壁部に配設されて、前記コンプレッサー４から給排気管５１を介して施療部材２の空気袋２２に圧空を供給し、施療部材２を膨縮させるように構成しており、使用者の施療部位を施療部嵌用溝１１に嵌入させるだけで、該施療部位を両側から挟持圧迫して揉みマッサージが行えるようにしているのである。      【００２４】  また、前記施療部材２の板状部材２１は、必ずしも設ける必要はなく、例えば前記本体１の形状を、少なくとも１以上の施療部嵌用溝１１が設けられており、しかもこの施療部嵌用溝１１は台形状になるよう形成され、各施療部嵌用溝１１の壁部が板状部材２１を包括するようにして上面で広がるような傾斜状に構成してもよい。      【００２５】  前記施療部材２は、施療部嵌用溝１１の溝形状に沿って傾斜状に配備されるものであり、前記施療部材２の一対を底部で連結させる形状であってもよい。      【００２６】  前記施療部材２には、振動部材６を内装或は付設してもよく、例えば、図１乃至図３に示したように、前記した板状部材２１と、該板状部材２１に付設される空気袋２２と、これら板状部材２１及び空気袋２２間に介設する振動部材６と、これら全体を被覆する弾性カバー２３とで構成して、空気袋２２による膨縮と振動部材６による振動を単独或は同時に付与できるようにすることができる。      【００２７】  前記施療部材２には、図１乃至図３に示すように、その上面に複数の突起２４を配設し、該突起２４により、施療部位を両側から指圧施療を行えるようにすることができる。      【００２８】  また、前記突起２４は、例えばシリコン等の肌触りのよい素材を半球状等に形成しており、該突起２４は前記空気袋２２を有する施療部材２の上面に設けている。      【００２９】  ３は内部に空気袋を配備した押圧部材であり、該押圧部材３は、前記本体１に設けられた少なくとも１以上の施療部嵌用溝１１の底部に配設されて、前記コンプレッサー４から給排気管５２を介して押圧部材３の空気袋３２に圧空を供給し、押圧部材３を膨縮させるように構成しており、使用者の施療部位を施療部嵌用溝１１に嵌入させるだけで、該施療部位に下部から上部への押圧マッサージが行えるようにしているのである。      【００３０】  また、前記押圧部材３は、前述の施療部材２と同様に、例えば硬性の材質で前記施療部嵌用溝１１の底部の形状に形成された板状部材３１と、該板状部材３１に付設され、気密性を有する弾性の素材で袋状に形成されて膨縮し得る空気袋３２と、これら板状部材３１及び空気袋３２を上部で被覆する弾性カバー３３とで構成してもよく、これにより空気袋３２を膨張させた場合に、この一方が前記板状部材３１で支持されて、開放された他方側が膨張し、施療部位にこの膨張を伝達し得るようにすることができるのである。      【００３１】  前記押圧部材３には、図１乃至図３に示すようにその底部上面に複数の突起３４を配設しており、該突起３４により、施療部下部へのつぼ指圧施療を行えるようにしている。      【００３２】  また、前記突���３４は、シリコン等の肌触りのよい素材を半球状等に形成しており、該突起３４は前記空気袋３２を有する押圧部材３の上面に設けている。      【００３３】  前記コンプレッサー４は、前記施療部材２の空気袋２２及び前記押圧部材３の空気袋３２に圧空を供給・排気させるためのものであり、前記本体１に内装すると共に該コンプレッサー４と空気袋２２及び空気袋３２間に給排気管５１及び給排気管５２を介設して、前記各空気袋２２或は空気袋３２を膨縮させることができるようにしている。      【００３４】  前記コンプレッサー４には、図示しないが、前記空気袋２２及び空気袋３２に対する給排気を制御する制御手段を設けると共に、給排気速度やタイマーを記憶させたプログラムを設けてもよく、これらを任意に設けて空気袋２２及び空気袋３２に複雑な膨縮や不定期的な膨縮を行わせることができる。      【００３５】  上記のように構成する、本発明の携帯用空圧式マッサージ機を使用する場合には、図１に示したような携帯用空圧マッサージ機を使用する場合には、本機の施療部嵌用溝１１内に首部や腕部、手部及び足部等の施療部位を嵌入させて作動させるだけでよく、コンプレッサー４から各給排気管５１・５２を介して圧空が各施療部材２の空気袋２２と底部の押圧部材３の空気袋３２に給排され、施療部位を両側から挟持圧迫して揉みマッサージを行わせることができると共に底部からの押圧マッサージを行わせることができる。      【００３６】  また前記携帯用空圧マッサージ機の施療部材２や押圧部材３に振動部材６が設けられている場合には、振動部材６を単独で作動させた場合には施療部位への振動マッサージが行え、振動部材６を前記施療部材２や押圧部材３と同時に作動させた場合には、施療部位への振動揉みマッサージや振動押圧マッサージが行える。      【００３７】  更に、前記携帯用空圧マッサージ機の施療部材２や押圧部材３に突起２４・３４が設けられている場合には、施療部位に対する指圧マッサージをも行わせることができる。      【００３８】  また、本発明が図２に示したような携帯用空圧マッサージ機である場合は、図４に示したように、使用者が仰臥した状態で本体１両側の各施療部嵌用溝１１・１１に施療部位の例えば足部の両方を嵌入させて作動させるだけよく、コンプレッサー４から各給排気管５１・５２を介して圧空が各施療部材２の空気袋２２と底部の押圧部材３の空気袋３２に給排され、足部等の両施療部位を各々両側から挟持圧迫して揉みマッサージを行わせることができると共に、ふくらはぎ等の施療部位を底部から押圧マッサージすることができる。      【００３９】  図２に示したような本発明の携帯用空圧マッサージ機を使用して、図５に示したように、使用者が椅子等に着座した状態で、本体１両側の各施療部嵌用溝１1・１１の底部に両足裏部分を嵌入載置するだけで、コンプレッサー４から各給排気管５１・５２を介して圧空が各施療部材２の各空気袋２２と底部の押圧部材３の空気袋３２に給排され、両足のくるぶし部分を挟持圧迫して揉みマッサージすることができると共に、土踏まず部分を底部から指圧施療することができるのである。      【００４０】  尚、この使用できる施療部位は、前述したように、首部や腕部、手部��び足部のどのような部位でも適応させることができ、また、振動部材６や突起２４・３４等を必要に応じて設けることにより、多種多様な携帯用空圧マッサージ機が製作できるのである。      【００４１】    【発明の効果】  よって、本発明の携帯用空圧式マッサージ機は、本体に設けられた施療部嵌用溝の壁部に各々配設した施療部材の空気袋に、コンプレッサーから給排気管を介して圧空を供給し、両施療部材を膨縮させるように構成しているため、使用者の施療部位を施療部嵌用溝に嵌入させるだけで、該施療部位を両側から挟持圧迫し、筋肉や骨に悪影響を及ぼすことなく心地よい揉みマッサージが行える。      【００４２】  また本発明は、本体の両側に設けられた施療部嵌用溝の底部に各々配設した押圧部材の空気袋に、コンプレッサーから給排気管を介して圧空を供給し、押圧部材を膨縮させるように構成しているため、使用者の施療部位を施療部嵌用溝に嵌入させるだけで、該施療部位を下部から上部へ押圧し、筋肉や骨に悪影響を及ぼすことなく心地よい押圧マッサージが行える。      【００４３】  更に本発明は、本体に設けられた施療部嵌用溝の壁部に各々配設した施療部材と底部に各々配設した押圧部材の空気袋に、コンプレッサーから給排気管を介して圧空を供給し、両施療部材及び押圧部材を任意或は同時に膨縮させるように構成できるため、使用者の施療部位を施療部嵌用溝に嵌入させるだけで、該施療部位を両側から挟持圧迫して行う揉みマッサージと、下部から上部へ押圧して行う押圧マッサージが任意或は同時に実施でき、特にこれらを同時に行う場合には、施療部位を挟持しながら押圧マッサージを行うことができる。      【００４４】  更にまた本発明は、本体に設けられた施療部嵌用溝を、台形状に形成しているため、施療部材を上方で広がるような傾斜状にでき、施療部位を容易に嵌脱することができると共に、施療部位を下部から上部に順次挟持して圧迫させることができるため、施療部位に無理な圧迫感を与えず、危険性の少ない快適な揉みマッサージが行える。      【００４５】  また、本発明は、本体の施療部嵌用溝に配設される施療部材或は押圧部材に振動部材を設けることで、該振動部材を単独使用することで施療部位に施療部材或は押圧部材による振動マッサージが行え、また施療部材や押圧部材の膨縮と振動部材の振動を同時に付与することで、施療部材による振動揉みマッサージや押圧部材による振動押圧マッサージが行える。      【００４６】  更に本発明は、本体の施療部嵌用溝に配設される施療部材或は押圧部材の表面に複数の突起を配設しているため、これらの突起による単独指圧と施療部材及び押圧部材と突起との相乗効果によるつぼ指圧マッサージも行える。 【００４７】 更に本発明における本体を縦長状や立体的な長靴状等どのような形状にした場合であっても、内部中央にコンプレッサーを内装し、該コンプレッサーの両側に夫々施療部嵌用溝を設けた本体にした場合には、本体全体をコンパクトに形成できると共に、コンプレッサーは本体の左右の重量を均等に保った安定した状態で収容されており、外観上において美観を有するものとできる。【図面の簡単な説明】    【図１】  本発明の携帯用空圧マッサージ機の一実施例を示した説明図であ��。    【図２】  本発明の携帯用空圧マッサージ機の他の実施例を示した説明図である。    【図３】  本発明の携帯用空圧マッサージ機の一実施例を示した平面図である。    【図４】  本発明の携帯用空圧マッサージ機の使用状態を示す説明図である。    【図５】  本発明の携帯用空圧マッサージ機の使用状態を示す説明図である。    【符号の説明】      １  本体    １１  施療部嵌用溝      ２  施療部材    ２１  板状部材    ２２  空気袋    ２３  弾性カバー    ２４  突起      ３  押圧部材    ３１  板状部材    ３２  空気袋    ３３  弾性カバー    ３４  突起      ４  コンプレッサー    ５１  給排気管    ５２  給排気管      ６  振動部材